(57)【要約】【課題】インターネット等のオープンなネットワーク環境で、複数の人による共同校正作業を行う際、それぞれの人のセキュリティレベルを保ちつつ、それぞれの人毎の校正作業での作用要求を満たすことが可能な文書管理装置およびプログラムを提供する。【解決手段】アクセス要求受付部が文書へのアクセス要求を受け付けると、アカウント識別部がアクセス者のアカウントを識別し、文書処理部はアクセス者のアカウントのセキュリティレベルをチェックし、文書処理部はチェックしたセキュリティレベルに対応する操作内容をチェックし、文書処理部はアクセス要求された文書の構成要素に対するセキュリティレベル設定をチェックし、文書処理部は、チェックした操作内容およびセキュリティレベル設定に従って、アクセス要求された文書に対して処理を施し、文書送信部は処理を施した文書を端末に送信する。【選択図】図２
2008040587.tif 000002
【特許請求の範囲】
【請求項１】
種々の構成要素から構成される文書を保管する文書保管手段と、
前記文書にアクセスするアクセス者毎にセキュリティレベルを設定するセキュリティレベル設定手段と、
前記セキュリティレベル毎に前記文書に対する操作内容を設定する操作内容設定手段と、
前記アクセス者からの前記文書へのアクセス要求を受け付けるアクセス要求受付手段と、
前記アクセス要求受付手段で受け付けたアクセス要求を行ったアクセス者に設定されたセキュリティレベルに基づき、前記文書に対して操作内容を特定する文書処理手段と
を具備することを特徴とする文書管理装置。
【請求項２】
前記文書の構成要素毎に前記セキュリティレベルに対応する操作内容の適用の有無を設定する構成要素設定手段
を更に具備し、
前記文書処理手段は、
前記適用が設定されている構成要素に対して前記セキュリティレベルに対応する操作内容を特定する
ことを特徴とする請求項１記載の文書管理装置。
【請求項３】
前記操作内容は、
前記構成要素の見せ方を制御する表示レベルである
ことを特徴とする請求項１または２記載の文書管理装置。
【請求項４】
前記操作内容設定手段は、
前記表示レベルとして、前記構成要素の詳細が理解できる表示、前記構成要素の概略が理解できる程度の表示、前記構成要素の非表示を設定する
ことを特徴とする請求項３記載の文書管理装置。
【請求項５】
前記操作内容は、
前記構成要素に対するアクセス権である
ことを特徴とする請求項１または２記載の文書管理装置。
【請求項６】
前記セキュリティレベル設定手段は、
前記アクセス者が所属するグループ毎にセキュリティレベルを設定する
ことを特徴とする請求項１記載の文書管理装置。
【請求項７】
種々の構成要素から構成される文書にアクセスするアクセス者毎にセキュリティレベルを設定する処理と、
前記セキュリティレベル毎に前記文書に対する操作内容を設定する処理と、
前記アクセス者からの前記文書へのアクセス要求を受け付ける処理と、
前記受け付けたアクセス要求を行ったアクセス者に設定されたセキュリティレベルに基づき、前記文書に対して操作内容を特定する処理と
をコンピュータに動作させることを特徴とする文書管理プログラム。
【請求項８】
前記文書の構成要素毎に前記セキュリティレベルに対応する操作内容の適用の有無を設定する処理と、
前記適用が設定されている構成要素に対して前記セキュリティレベルに対応する操作内容を特定する処理と
をコンピュータに動作させることを特徴とする請求項７記載の文書管理プログラム。
【請求項９】
前記操作内容は、
前記構成要素の見せ方を制御する表示レベルである
ことを特徴とする請求項７または８記載の文書管理プログラム。
【請求項１０】
前記表示レベルとして、前記構成要素の詳細が理解できる表示、前記構成要素の概略が理解できる程度の表示、前記構成要素の非表示を設定する
ことを特徴とする請求項９記載の文書管理プログラム。
【請求項１１】
前記操作内容は、
前記構成要素に対するアクセス権である
ことを特徴とする請求項７または８記載の文書管理プログラム。
【請求項１２】
前記アクセス者が所属するグループ毎にセキュリティレベルを設定する処理
をコンピュータに動作させることを特徴とする請求項７記載の文書管理プログラム。
【発明の詳細な説明】
【技術分野】
【０００１】
本発明は、文書管理装置およびプログラムに関し、特に、複数ユーザ間で共同校正作業が行われる文書を管理する文書管理装置およびプログラムに関する。
【背景技術】
【０００２】
印刷業界では、印刷原稿の校正作業の際、印刷会社、製本会社、デザイン会社等、複数の会社間で校正作業が発生し、近年、インターネット等のネットワークを利用した複数人での共同校正作業が行われている。この際、文書ファイル内に非常に機密性が高いデータ、画像等が扱われる場合があり、特にインターネットというオープンなネットワーク環境で、このような共同校正作業を行う場合、誰もが文書ファイルに対してアクセス可能になることから、セキュリティ上の問題が発生してしまう。
【０００３】
通常、このような課題を解決する手段として、文書ファイルに対するアクセス権を設定し、アクセス制御することで文書ファイルの機密性を保護しているが、複数の人が関わる共同校正作業の場合、人によっては機密性が非常に高いデータあるいは画像等が正確に可視できなくでも、全体のレイアウト（大体のレイアウト）、文書全体の雰囲気等を確認またはチェックができれば十分なことがある。
【０００４】
しかし、上述したように、文書ファイル全体のアクセス制御では、このような人に対しても、アクセス権を設定する必要があり、文書全体がはっきりと可視できてしまい、文書ファイルの機密性が保護できないという問題が残ってしまう。
【０００５】
また、ＸＭＬ［Extensible Markup language］等の構造化文書でのアクセス制御として、例えば、構造化文書記述データの各構成要素に対してユーザ単位または端末単位にアクセス権情報を付与し、構造化文書に対するアクセス要求に対して、要求された構造化文書中の構造化文書記述データとアクセス権情報とを照合し、各構成要素毎にアクセス可否を決定することにより、要求された構造化文書の表示においてアクセスを許可されている構成要素のみを解析して表示するという構造化文書記述データ処理装置および構造化文書記述データ処理プログラム記録媒体がある（例えば、特許文献１参照。）。
【特許文献１】特開２００１−２２９０６７号公報
【発明の開示】
【発明が解決しようとする課題】
【０００６】
現状におけるアクセス制御は、アクセス許可されている構成要素の表示／非表示を判断するだけとなっており、共同校正作業のような複数の人毎のセキュリティレベルが存在し、このセキュリティレベルを保ちつつ、複数の人で共同校正作業が可能となる環境を満たすことができないという課題がある。
【０００７】
そこで、本発明は、インターネット等のオープンなネットワーク環境で、複数の人による共同校正作業を行う際、それぞれの人のセキュリティレベルを保ちつつ、それぞれの人毎の校正作業での作用要求を満たすことが可能な文書管理装置およびプログラムを提供することを目的とする。
【課題を解決するための手段】
【０００８】
上記目的を達成するため、請求項１の発明は、種々の構成要素から構成される文書を保管する文書保管手段と、前記文書にアクセスするアクセス者毎にセキュリティレベルを設定するセキュリティレベル設定手段と、前記セキュリティレベル毎に前記文書に対する操作内容を設定する操作内容設定手段と、前記アクセス者からの前記文書へのアクセス要求を受け付けるアクセス要求受付手段と、前記アクセス要求受付手段で受け付けたアクセス要求を行ったアクセス者に設定されたセキュリティレベルに基づき、前記文書に対して操作内容を特定する文書処理手段とを具備することを特徴とする。
【０００９】
また、請求項２の発明は、請求項１の発明において、前記文書の構成要素毎に前記セキュリティレベルに対応する操作内容の適用の有無を設定する構成要素設定手段を更に具備し、前記文書処理手段は、前記適用が設定されている構成要素に対して前記セキュリティレベルに対応する操作内容を特定することを特徴とする。
【００１０】
また、請求項３の発明は、請求項１の発明または請求項２の発明において、前記操作内容は、前記構成要素の見せ方を制御する表示レベルであることを特徴とする。
【００１１】
また、請求項４の発明は、請求項３の発明において、前記操作内容設定手段は、前記表示レベルとして、前記構成要素の詳細が理解できる表示、前記構成要素の概略が理解できる程度の表示、前記構成要素の非表示を設定することを特徴とする。
【００１２】
また、請求項５の発明は、請求項１の発明または請求項２の発明において、前記操作内容は、前記構成要素に対するアクセス権であることを特徴とする。
【００１３】
また、請求項６の発明は、請求項１の発明において、前記セキュリティレベル設定手段は、前記アクセス者が所属するグループ毎にセキュリティレベルを設定することを特徴とする。
【００１４】
また、請求項７の発明は、種々の構成要素から構成される文書にアクセスするアクセス者毎にセキュリティレベルを設定する処理と、前記セキュリティレベル毎に前記文書に対する操作内容を設定する処理と、前記アクセス者からの前記文書へのアクセス要求を受け付ける処理と、前記受け付けたアクセス要求を行ったアクセス者に設定されたセキュリティレベルに基づき、前記文書に対して操作内容を特定する処理とをコンピュータに動作させることを特徴とする。
【００１５】
また、請求項８の発明は、請求項７の発明において、前記文書の構成要素毎に前記セキュリティレベルに対応する操作内容の適用の有無を設定する処理と、前記適用が設定されている構成要素に対して前記セキュリティレベルに対応する操作内容を特定する処理とをコンピュータに動作させることを特徴とする。
【００１６】
また、請求項９の発明は、請求項７の発明または請求項８の発明において、前記操作内容は、前記構成要素の見せ方を制御する表示レベルであることを特徴とする。
【００１７】
また、請求項１０の発明は、請求項９の発明において、前記表示レベルとして、前記構成要素の詳細が理解できる表示、前記構成要素の概略が理解できる程度の表示、前記構成要素の非表示を設定することを特徴とする。
【００１８】
また、請求項１１の発明は、請求項７の発明または請求項８の発明において、前記操作内容は、前記構成要素に対するアクセス権であることを特徴とする。
【００１９】
また、請求項１２の発明は、請求項７の発明において、前記アクセス者が所属するグループ毎にセキュリティレベルを設定する処理をコンピュータに動作させることを特徴とする。
【発明の効果】
【００２０】
本発明によれば、インターネット等のオープンなネットワーク環境で、複数の作業者による共同校正作業を行う際に、それぞれの作業者のセキュリティレベルを保ちつつ、それぞれの作業者毎の校正作業での作業要求を満たすことが可能となるという効果を奏する。
【発明を実施するための最良の形態】
【００２１】
以下、本発明に係る文書管理装置およびプログラムの実施の形態について添付図面を参照して詳細に説明する。
【００２２】
図１は、本発明に係る文書管理装置１を適用した文書処理システム２のシステム構成の一例を示す図である。
【００２３】
図１に示すように、文書処理システム２は、本発明に係る文書管理装置１、複数の端末３がネットワーク４を介して接続する構成になっている。
【００２４】
文書管理装置１は、テキスト、画像、動画、音声、グラフィックス等の種々のオブジェクト（以後、構成要素と称する）から構成されている文書の保存・管理を行うとともに、ネットワーク４を介して接続する端末３からの文書へのアクセス要求に対する処理を行う。
【００２５】
端末３は、ネットワーク４を介して接続する文書管理装置１に対して文書を要求し、当該要求した文書に対する校正作業等の処理を実行するものであり、汎用のＰＣ等で構成されている。
【００２６】
図２は、文書管理装置１の機能的な構成の一例を示すブロック図である。
【００２７】
図２に示すように、文書管理装置１は、アクセス要求受付部５、アカウント識別部６、セキュリティレベル設定部７、操作内容設定部８、構成要素設定部９、文書保管部１０、文書処理部１１、文書送信部１２、文書受信部１３を具備して構成される。
【００２８】
なお、文書管理装置１はハードウェア的には汎用のサーバコンピュータで実現でき、各構成要素が有する処理機能は、サーバコンピュータ上で本発明に係る文書管理プログラムを実行することによって発揮され、この場合には、プログラムの組み方により機能的には同一となるが、必ずしも図２に示す構成と同一になるとは限らない。また、各構成要素をＩＣ等を用いてハードウェアによる構築で構成することも可能である。
【００２９】
アクセス要求受付部５は、端末３からの文書へのアクセス要求を受け付ける処理を行う。
【００３０】
アカウント識別部６は、アクセス要求受付部５が端末３からアクセス要求とともに受け付けたアクセス者のユーザＩＤ、グループＩＤ等のアカウントを識別する処理を行う。
【００３１】
セキュリティレベル設定部７は、文書にアクセスするユーザ毎またはグループ毎に、文書アクセスにおけるセキュリティレベルを設定する処理を行う。なお、セキュリティレベルはユーザまたはグループ毎にテーブルとして保持する。
【００３２】
操作内容設定部８は、セキュリティレベルの各レベル毎に、文書アクセスにおける操作内容を設定する処理を行う。なお、操作内容はセキュリティレベルの各レベル毎にテーブルとして保持する。また、操作内容として、文書に対するアクセス権（ＲＥＡＤ／ＷＲＩＴＥ）、文書の表示レベル等がある。
【００３３】
構成要素設定部９は、文書の構成要素に対するセキュリティレベルの有効／無効を各構成要素毎に設定する処理を行う。なお、セキュリティレベルの有効／無効の設定は各構成要素毎にテーブルとして保持する。
【００３４】
文書保管部１０は、文書の保存・管理を行う。
【００３５】
文書処理部１１は、アクセス要求された文書を文書保管部１０から出力し、出力した文書に対し、アクセス者に設定されたセキュリティレベルに対応する操作内容および構成要素に対するセキュリティレベル設定に従った処理を施す。
【００３６】
文書送信部１２は、アクセス要求した端末３に対して文書処理部１１でセキュリティレベルに応じた処理を施した文書を送信する処理を行う。
【００３７】
文書受信部１３は、端末３から送信されてきた文書（例えば、端末３で校正作業が施された文書）を受信する処理を行う。
【００３８】
次に、文書管理装置で行われる処理について図３に示すフローチャートを参照して説明する。
【００３９】
アクセス要求受付部が端末からの文書へのアクセス要求を受け付けると（ステップＳ３０１）、アカウント識別部がアクセス者のアカウントを識別し（ステップＳ３０２）、文書処理部はセキュリティ設定部に基づき、アクセス者のアカウントのセキュリティレベルをチェックし（ステップＳ３０３）、文書処理部は操作内容設定部に基づき、チェックしたセキュリティレベルに対応する操作内容をチェックし（ステップＳ３０４）、文書処理部は構成要素設定部に基づき、アクセス要求された文書の構成要素に対するセキュリティレベル設定をチェックし（ステップＳ３０５）、文書処理部は、チェックした操作内容およびセキュリティレベル設定に従って、アクセス要求された文書に対して処理を施し（ステップＳ３０６）、文書送信部は処理を施した文書を端末に送信し（ステップＳ３０７）、処理手順を終了する。
【００４０】
次に、文書管理装置１で行われる処理について具体例を参照して説明する。
【００４１】
図４は、文書管理装置１で行われる処理の具体例を示す図である。
【００４２】
図４に示すように、文書管理装置１に保管されている文書に対して複数の作業者（Ａ、Ｂ、Ｃ、Ｄ、Ｅ）が校正作業を行っている。ここで、作業者Ａは当該文書のオーナーであり、作業者Ｂおよび作業者Ｃは作業グループＸに所属し、作業者Ｄおよび作業者Ｅは作業グループＹに所属している。
【００４３】
図５は、セキュリティレベル設定部７に保持されているテーブルの具体例を示す図である。
【００４４】
図５（ａ）は、ユーザＩＤとグループＩＤとの対応を示すテーブルである。図５（ａ）のテーブルには、作業者ＡのユーザＩＤである「ＩＤ−００１」はグループＩＤ「Ｇ−０００Ａ」に対応し、作業者ＢのユーザＩＤである「ＩＤ−００２」はグループＩＤ「Ｇ−０００Ｘ」に対応し、作業者ＣのユーザＩＤである「ＩＤ−００３」はグループＩＤ「Ｇ−０００Ｘ」に対応し、作業者ＤのユーザＩＤである「ＩＤ−００４」はグループＩＤ「Ｇ−０００Ｙ」に対応し、作業者ＥのユーザＩＤである「ＩＤ−００５」はグループＩＤ「Ｇ−０００Ｙ」に対応することが示されている。
【００４５】
図５（ｂ）は、グループＩＤとセキュリティレベルとの対応を示すテーブルである。図５（ｂ）のテーブルには、グループＩＤ「Ｇ−０００Ａ」のセキュリティレベルは「Ｌｅｖｅｌ  ０」に設定され、グループＩＤ「Ｇ−０００Ｘ」のセキュリティレベルは「Ｌｅｖｅｌ  １」に設定され、グループＩＤ「Ｇ−０００Ｙ」のセキュリティレベルは「Ｌｅｖｅｌ  ２」に設定されていることが示されている。
【００４６】
なお、グループＩＤに対してセキュリティレベルを設定する以外にも、ユーザＩＤ毎にセキュリティレベルを設定することも可能である。
【００４７】
図６は、操作内容設定部８に保持されているテーブルの具体例を示す図である。
【００４８】
図６（ａ）は、セキュリティレベルと操作内容との対応を示すテーブルである。図６（ａ）のテーブルには、セキュリティレベル「Ｌｅｖｅｌ  ０」の操作内容として、アクセス権が「Ｒ／Ｗ」（ＲＥＡＤおよびＷＲＩＴＥが可能）、表示レベルが「ＤＩＳＰ−１」に設定され、セキュリティレベル「Ｌｅｖｅｌ  １」の操作内容として、アクセス権が「Ｒ」（ＲＥＡＤのみ可能）、表示レベルが「ＤＩＳＰ−２」に設定され、セキュリティレベル「Ｌｅｖｅｌ  ２」の操作内容として、アクセス権が「Ｒ」（ＲＥＡＤのみ可能）、表示レベルが「ＤＩＳＰ−３」に設定されていることが示されている。
【００４９】
図６（ｂ）は、表示レベルと表示内容との対応を示すテーブルである。図６（ｂ）のテーブルには、表示レベル「ＤＩＳＰ−１」の表示内容が「元構成要素通りに表示（そのまま表示）」に設定され、表示レベル「ＤＩＳＰ−２」の表示内容が「低解像度で表示（ぼんやり輪郭が見える程度）」に設定され、表示レベル「ＤＩＳＰ−３」の表示内容が「非表示、表示範囲のみ線表示」に設定されていることが示されている。
【００５０】
図７は、構成要素設定部９に保持されている文書の構成要素に対するセキュリティレベル設定を示すテーブルの具体例を示す図である。
【００５１】
図７のテーブルには、構成要素「タイトル」にはセキュリティレベル設定が「無効」に設定され、構成要素「本文１」にはセキュリティレベル設定が「無効」に設定され、構成要素「本文２」にはセキュリティレベル設定が「有効」に設定され、構成要素「イメージ１」にはセキュリティレベル設定が「無効」に設定され、構成要素「イメージ２」にはセキュリティレベル設定が「有効」に設定されていることが示されている。
【００５２】
即ち、構成要素「本文２」、「イメージ２」はセキュリティレベルに対応したアクセス権、表示レベルが適用され、構成要素「タイトル」、「本文１」、「イメージ１」はセキュリティレベルに対応したアクセス権、表示レベルが適用されず、アクセス権なし（誰でもＲＥＡＤおよびＷＲＩＴＥが可能）、表示レベルなし（誰でもそのまま表示）となる。
【００５３】
図８は、文書の具体例を示す図である。
【００５４】
図８に示すように、文書は、「タイトル」（図中の１４に対応）、「本文１」（図中の１５に対応）、「本文２」（図中の１６に対応）、「イメージ１」（図中の１７に対応）、「イメージ２」（図中の１８に対応）の構成要素によって構成されている。これらの構成要素は図７のテーブルと対応している。
【００５５】
この文書は各作業者のセキュリティレベルによって異なった表示になる。
【００５６】
図９は、図８の文書を端末で表示した際の表示例を示す図である。
【００５７】
図９（ａ）は、作業者Ａに対して表示する文書である。ここで、作業者Ａは「Ｇ−０００Ａ」の作業グループに所属することからセキュリティレベルが「Ｌｅｖｅｌ  ０」であるため、文書のアクセス権は「Ｒ／Ｗ」、表示レベルは「ＤＩＳＰ−１」である。
【００５８】
従って、作業者Ａが端末に表示する文書を構成する全構成要素のアクセス権は全て編集可能となる。
【００５９】
＜アクセス権＞
「タイトル」  ：編集可
「本文１」    ：編集可
「本文２」    ：編集可
「イメージ１」：編集可
「イメージ２」：編集可
更に、作業者Ａが端末に表示する文書を構成する全構成要素の表示レベルは全て解読可能となる。
【００６０】
＜表示レベル＞
「タイトル」  ：解読可
「本文１」    ：解読可
「本文２」    ：解読可
「イメージ１」：解読可
「イメージ２」：解読可
従って、図９（ａ）に示すように、作業者Ａに対して図８の文書そのままを端末に表示することになる。
【００６１】
図９（ｂ）は、作業者Ｂまたは作業者Ｃに対して表示する文書である。ここで、作業者Ｂまたは作業者Ｃは「Ｇ−０００Ｘ」の作業グループＸに所属することからセキュリティレベルが「Ｌｅｖｅｌ  １」であるため、文書のアクセス権は「Ｒ」、表示レベルは「ＤＩＳＰ−２」である。
【００６２】
従って、作業者Ｂまたは作業者Ｃが端末に表示する文書を構成する構成要素のアクセス権は、
＜アクセス権＞
「タイトル」  ：編集可
「本文１」    ：編集可
「本文２」    ：編集不可
「イメージ１」：編集可
「イメージ２」：編集不可
となる。更に、作業者Ｂまたは作業者Ｃが端末に表示する文書を構成する構成要素の表示レベルは、
＜表示レベル＞
「タイトル」  ：解読可
「本文１」    ：解読可
「本文２」    ：レイアウトと雰囲気が読み取れるレベルの解像度での表示
「イメージ１」：解読可
「イメージ２」：レイアウトと雰囲気が読み取れるレベルの解像度での表示
となる。従って、作業者Ｂまたは作業者Ｃに対して図９（ｂ）の文書が表示される。
【００６３】
図９（ｃ）は、作業者Ｄまたは作業者Ｅに対して表示する文書である。ここで、作業者Ｄまたは作業者Ｅは「Ｇ−０００Ｙ」の作業グループＹに所属することからセキュリティレベルが「Ｌｅｖｅｌ  ２」であるため、文書のアクセス権は「Ｒ」、表示レベルは「ＤＩＳＰ−３」である。
【００６４】
従って、作業者Ｄまたは作業者Ｅが端末に表示する文書を構成する構成要素のアクセス権は、
＜アクセス権＞
「タイトル」  ：編集可
「本文１」    ：編集可
「本文２」    ：編集不可
「イメージ１」：編集可
「イメージ２」：編集不可
となる。更に、作業者Ｄまたは作業者Ｅが端末に表示する文書を構成する構成要素の表示レベルは、
＜表示レベル＞
「タイトル」  ：解読可
「本文１」    ：解読可
「本文２」    ：画像領域部分のみがアウトライン表示
「イメージ１」：解読可
「イメージ２」：画像領域部分のみがアウトライン表示
となる。従って、作業者Ｄまたは作業者Ｅに対して図９（ｃ）の文書が表示される。
【００６５】
従って、文書内でそれぞれの構成要素毎に共同校正作業に参加している作業者または作業グループ毎の表示レベル制御またはアクセス権制御が可能になり、見せたくないものの保護をしながらも、見せたくない作業者でも、文書にアクセスして、大体の全体レイアウト確認等を行うことができる。
【００６６】
本発明は、上記し、且つ図面に示した実施例に限定することなく、その要旨を変更しない範囲内で適宜変形して実施できるものである。
【図面の簡単な説明】
【００６７】
【図１】本発明に係る文書管理装置を適用した文書処理システムのシステム構成の一例を示す図である。
【図２】文書管理装置の機能的な構成の一例を示すブロック図である。
【図３】文書管理装置で行われる処理を示すフローチャートである。
【図４】文書管理装置で行われる処理の具体例を示す図である。
【図５】セキュリティレベル設定部に保持されているテーブルの具体例を示す図である。
【図６】操作内容設定部に保持されているテーブルの具体例を示す図である。
【図７】構成要素設定部に保持されている文書の構成要素に対するセキュリティレベル設定を示すテーブルの具体例を示す図である。
【図８】文書の具体例を示す図である。
【図９】図８の文書を端末で表示した際の表示例を示す図である。
【符号の説明】
【００６８】
１    文書管理装置
２    文書処理システム
３    端末
４    ネットワーク
５    アクセス要求受付部
６    アカウント識別部
７    セキュリティレベル設定部
８    操作内容設定部
９    構成要素設定部
１０    文書保管部
１１    文書処理部
１２    文書送信部
１３    文書受信部
１４    タイトル
１５    本文１
１６    本文２
１７    イメージ１
１８    イメージ２
【図１】
2008040587.tif 000003
【図２】
2008040587.tif 000004
【図３】
2008040587.tif 000005
【図４】
2008040587.tif 000006
【図５】
2008040587.tif 000007
【図６】
2008040587.tif 000008
【図７】
2008040587.tif 000009
【図８】
2008040587.tif 000010
【図９】
2008040587.tif 000011